(57)【要約】      （修正有）【課題】壁と床面との間の隅部にある塵埃やゴミを残さずきれいに集塵することができる電気掃除機用の吸込口体およびそれを備えた電気掃除機を提供すること。【解決手段】床面に対向する集塵開口部５１ｘを有する本体部５１と、この本体部５１の前端を覆うように設けられたバンパー５２とを備え、前記バンパー５２は、前記本体部５１の前端から床面に向かう方向に形成された吸気口５２ｘと、下端が床面に対する垂直面と接触可能なように、前記吸気口の下方に設けられた前板部５２ａと、前記前板部５２ａの下端に沿って設けられた排気口５２ｚとを有する吸込口体によって、隅部にある塵埃やゴミが気流にて集塵開口部５１ｘ側に吹き飛ばされるため、隅部まできれいに掃除される。【選択図】図７
2014033934.tif 000002
【特許請求の範囲】
【請求項１】
床面に対向する集塵開口部を有する本体部と、この本体部の前端を覆うように設けられたバンパーとを備え、
前記バンパーは、前記本体部の前端から床面に向かう方向に形成された吸気口と、下端が床面に対する垂直面と接触可能なように、前記吸気口の下方に設けられた前板部と、前記前板部の下端に沿って設けられた排気口とを有する電気掃除機用の吸込口体。
【請求項２】
前記前板部の下端は、床面へ向かうにつれて前方へ湾曲した断面形状を有している請求項１に記載の電気掃除機用の吸込口体。
【請求項３】
前記バンパーの前記吸気口は複数に区分されており、
前記前板部の下端と前記本体部の前端との間に通風路が設けられると共に、前記通風路にリブが設けられた請求項１または２に記載の電気掃除機用の吸込口体。
【請求項４】
前記リブが、前記吸気口から入って下方の前記通風路を通過する気流を左右方向に分散させて前記排気口から噴出するように構成された請求項３に記載の電気掃除機用の吸込口体。
【請求項５】
前記リブは、その前記排気口側の端部に床面に対して傾斜した辺を有している請求項３または４に記載の電気掃除機用の吸込口体。
【請求項６】
電動送風機を内蔵する掃除機本体と、この掃除機本体と接続された請求項１〜５のいずれか１つに記載の電気掃除機用の吸込口体とを備えた電気掃除機。
【発明の詳細な説明】
【技術分野】
【０００１】
本発明は、電気掃除機用の吸込口体および電気掃除機に関する。
【背景技術】
【０００２】
従来、集塵開口部を有する吸込口体の本体ケースの前端に緩衝体を設けると共に、緩衝体の前面に左右方向に延びる複数の突出部を設けることにより、掃除中に室内の壁に本体ケースが衝突して破損するのを防止するよう構成された電気掃除機が提案されている（例えば、特許文献１参照）。さらに、この電気掃除機は、複数の突出部が壁に当接した状態において、上方から突出部間に空気が流れ、この気流によって壁付近の床面上にある塵埃やゴミを集塵開口部の方へ吹き飛ばすように構成されている。
【０００３】
また、吸込口体の本体ケースの前端にバンパーを設けることにより、掃除中に室内の壁に本体ケースが衝突して破損するのを防止するよう構成された電気掃除機が提案されている（例えば、特許文献２参照）。さらに、この電気掃除機は、バンパーと本体ケースとの間に気流を通す複数の吸気孔が形成されており、各吸気孔を通る気流によって壁付近の床面上にある塵埃やゴミを集塵開口部の方へ吹き飛ばすように構成されている。
【先行技術文献】
【特許文献】
【０００４】
【特許文献１】特許第４０４０２８９号公報
【特許文献２】特開２００９−６６３５１号公報
【発明の概要】
【発明が解決しようとする課題】
【０００５】
特許文献１の電気掃除機では、吸込口体の各突出部が壁に何度も衝突することによりすり減ってしまうと、各突出部が壁に当接した状態において、上方から突出部間に空気が流れ難くなり、壁付近の床面上にある塵埃やゴミを集塵開口部の方へ吹き飛ばして集塵する能力が低下する。また、左右方向に延びる突出部の中央付近には上下方向の気流が発生しないため、壁付近の床面上にある塵埃やゴミが集塵されずに残り易いという問題がある。
【０００６】
特許文献２の電気掃除機では、バンパーの下端が集塵開口部の方（後方）へ湾曲しているため、壁と床面との間の隅部に気流が届かず、そのため隅部にある塵埃やゴミを気流によって集塵開口部の方へ吹き飛ばして集塵することができない。また、バンパーの吸気孔間には気流が発生しないため、壁付近の床面上にある塵埃やゴミが集塵されずに残り易いという問題がある。
【０００７】
本発明は、このような課題に鑑みてなされたものであり、壁と床面との間の隅部にある塵埃やゴミを残さずきれいに集塵することができる電気掃除機用の吸込口体およびそれを備えた電気掃除機を提供することを目的とする。
【課題を解決するための手段】
【０００８】
かくして、本発明によれば、床面に対向する集塵開口部を有する本体部と、この本体部の前端を覆うように設けられたバンパーとを備え、
前記バンパーは、前記本体部の前端から床面に向かう方向に形成された吸気口と、下端が床面に対する垂直面と接触可能なように、前記吸気口の下方に設けられた前板部と、前記前板部の下端に沿って設けられた排気口とを有する電気掃除機用の吸込口体。
【０００９】
また、本発明の別の観点によれば、電動送風機を内蔵する掃除機本体と、この掃除機本体と接続された前記電気掃除機用の吸込口体とを備えた電気掃除機が提供される。
【発明の効果】
【００１０】
本発明の電気掃除機用の吸込口体によれば、バンパーの前板部の下端は、床面に対して垂直方向の面（例えば、室内の壁面、衝立や家具の壁面、階段の段差部などの垂直面）と接触可能である。
よって、本発明の吸込口体を備えた電気掃除機によれば、掃除機本体を駆動させて床面と垂直面との間の隅部を清掃する際、吸込口体バンパーの前板部の下端を垂直面に当接させると、バンパー上方の空気が吸気口を通過して排気口から吹き出す。そして、排気口から吹き出した気流が垂直面に沿って流れて隅部に到達する。この結果、隅部にある塵埃やゴミが気流にて集塵開口部側に吹き飛ばされるため、隅部まできれいに掃除される。
【図面の簡単な説明】
【００１１】
【図１】本発明における電気掃除機の実施形態１を示す概略斜視図である。
【図２】実施形態１の電気掃除機に用いられる吸込口体を示す斜視図である。
【図３】図２の吸込口体を示す正面図である。
【図４】図２の吸込口体を示す右側面図である。
【図５】図２の吸込口体を示す平面図である。
【図６】図２の吸込口体を示す底面図である。
【図７】図３のＡ−Ａ線断面図である。
【図８】図５のＢ−Ｂ線断面図である。
【図９】実施形態１の吸込口体における通風路に設けられたリブの形状および気流の方向を示す説明図である。
【図１０】リブの変形例１（実施形態２）および気流の方向を示す説明図である。
【図１１】リブの変形例２（実施形態３）および気流の方向を示す説明図である。
【図１２】リブの変形例３（実施形態４）および気流の方向を示す説明図である。
【図１３】リブの変形例４（実施形態５）および気流の方向を示す説明図である。
【図１４】リブの変形例５（実施形態６）および気流の方向を示す説明図である。
【図１５】リブの変形例６（実施形態７）および気流の方向を示す説明図である。
【図１６】リブの変形例７（実施形態８）および気流の方向を示す説明図である。
【発明を実施するための形態】
【００１２】
本発明の電気掃除機用の吸込口体は、床面に対向する集塵開口部を有する本体部と、この本体部の前端を覆うように設けられたバンパーとを備える。
そして、前記バンパーは、前記本体部の前端から床面に向かう方向に形成された吸気口と、下端が床面に対する垂直面と接触可能なように、前記吸気口の下方に設けられた前板部と、前記前板部の下端に沿って設けられた排気口とを有する。
本発明の電気掃除機用の吸込口体は次のように構成されてもよい。
【００１３】
前記前板部の下端は、床面へ向かうにつれて前方へ湾曲した断面形状を有していてもよい。
このようにすれば、前板部の下端にある排気口から吹き出した気流が垂直面に沿って流れやすくなるため、床面と垂直面との間の隅部を効果的に除塵することができる。
【００１４】
前記バンパーの前記吸気口は複数に区分されており、
前記前板部の下端と前記本体部の前端との間に通風路が設けられると共に、前記通風路にリブが設けられていてもよい。
このようにすれば、床面に対する垂直面にバンパーが衝突することによる破損を防止することができる。
【００１５】
前記リブが、前記吸気口から入って下方の前記通風路を通過する気流を左右方向に分散させて前記排気口から噴出するように構成されてもよい。具体的には、前記リブは、その前記排気口側の端部に床面に対して傾斜した辺を有していてもよい。
このようにすれば、隣接する２つの吸気口の間に気流が流入しなくても、排気口から均等に気流を吹き出すことができるため、床面と垂直面との間の隅部に塵埃やゴミが残らないよう均等に除塵することができる。
【００１６】
以下、図面を参照しながら本発明の電気掃除機用の吸込口体および電気掃除機の実施形態について詳説する。
【００１７】
（実施形態１）
図１は本発明における電気掃除機の実施形態１を示す概略斜視図であり、図２は実施形態１の電気掃除機に用いられる吸込口体を示す斜視図である。
この電気掃除機１は、集塵部および電動送風機等を有する掃除機本体２と、ホース３および延長ホース４を介して掃除機本体２と接続された吸込口体５とを備える。なお、ホース３のハンドル３ａには図示しない操作部が設けられている。
本発明の特徴は吸込口体５であり、その他の構成は特に限定されないため、主として吸込口体５について説明する。
【００１８】
図３は図２の吸込口体を示す正面図であり、図４は図２の吸込口体を示す右側面図であり、図５は図２の吸込口体を示す平面図であり、図６は図２の吸込口体を示す底面図であり、図７は図３のＡ−Ａ線断面図であり、図８は図５のＢ−Ｂ線断面図である。また、図９は実施形態１の吸込口体における通風路に設けられたリブの形状および気流の方向を示す説明図である。
【００１９】
吸込口体５は、全体の形状がＴ字形であり、床面Ｆに対向する集塵開口部５１ｘを有する本体部（ヘッド部）５１と、本体部５１の前端５１ａを覆うように設けられたバンパー５２と、本体部５１の後端５１ｂにおける長手方向の中間位置に揺動可能に連結されて延長ホース４と接続される接続ホース部（ネック部）５３とを有する。
【００２０】
本体部５１は、ベースフレーム部材５１Ｆ1、前フレーム部材５１Ｆ2、後フレーム部材５１Ｆ3等を含む複数の樹脂製フレーム部材から構成されており、その前端５１ａ側の下部には前記集塵開口部５１ｘが形成されると共に、集塵開口部５１ｘ内にモータ駆動式の回転ブラシ５１ｙが回転可能に設けられている。なお、本体部５１は樹脂製に限定されない。また、本体部５１の下部には複数の車輪５１ｚ1、５１ｚ2およびローラ５１ｚ3が設けられると共に、本体部５１の後端５１ｂには延長ホース５３の先端が嵌め込まれる略球形の連結凹部５１ｄが設けられている。また、集塵開口部５１ｘの後方近傍位置に配置された車輪５１ｚ1は上下方向に揺動する可動式車輪であって、回転ブラシ５１ｙの安全スイッチを兼ねている。すなわち、図７に示すように、吸込口体５の本体部５１が床面Ｆ上にあるときは車輪５１ｚ1が本体部５１内に収納され、かつ回転ブラシ５１ｙが回転する。一方、図４に示すように、吸込口体５の本体部５１が床面上から浮き上がると、車輪５１ｚ1が本体部５１の下面から突出し、かつ回転ブラシ５１ｙの回転が停止して安全を確保する。
【００２１】
さらに詳しく説明すると、本体部５１の前端５１ａは、ベースフレーム部材５１Ｆ1の前部からなる。そして、このベースフレーム部材５１Ｆ1の前面には、複数のリブ５１ａｒが設けられている。実施形態１の場合、八の字形に配置されたリブ５１ａｒの対が複数対左右方向に所定間隔で並んでいる。また、ベースフレーム部材５１Ｆ1の下端には複数の切欠き部５１ａｎが所定間隔で形成されている。さらに、ベースフレーム部材５１Ｆ1の前面におけるリブ形成領域の上部に後退する段差部が設けられると共に、段差部の上方にはバンパー５２の後述する後板部５２ｂを固定するための溝部が形成されている。
【００２２】
樹脂製の（樹脂製に限定されない）バンパー５２は、前板部５２ａと、後板部５２ｂと、前板部５２ａの後面前端と後板部５２ｂの前面下端とを連結する複数の連結部５２ｃと、後板部５２ｂの左右両端から後方に突出する一対の側板部５２ｄとを有する。そして、隣接する２つの連結部５２ｃの間は、本体部５１の前端５１ａから床面Ｆに向かう方向（上下方向）に形成された吸気口５２ｘとされている。すなわち、バンパー５２の吸気口５２ｘは複数に区分されている。
【００２３】
バンパー５２の下端部を構成する前板部５２ａは、床面Ｆへ向かうにつれて前方へ湾曲した断面形状を有しており、前板部５２ａの下端部が床面Ｆに対する垂直面Ｖと接触するようになっている。詳しく説明すると、前板部５２ａにおいて、図７に示したポイントＰより上部は、吸気口５２ｘの内側のストレートな面部分であり、ポイントＰより下部が湾曲した面部分である。なお、前板部５２ａが湾曲して形成されている理由は、吸気口５２ｘから流入した空気の流れを真下に流すためである。また、垂直面Ｖに衝突するときの衝撃を和らげるためでもある。これについては後述する。ここで、「前方」とは、集塵開口部５１ｘよりもバンパー５２側の方向を意味する。なお、本実施形態の吸込口体５においては、前板部５２ａがバンパー５２の下端部を構成する場合について説明するが、これに限定されるものではない。例えば、後板部５２ｂ又は側板部５２ｄが、バンパー５２の下端部となるように構成されてもよい。
また、バンパー５２の前板部５２ａと本体部５１の前端５１ａとの間に前記複数のリブ５１ａｒが配置されている通風路５２ｙが設けられると共に、前板部５２ａの下端縁に沿って排気口５２ｚが設けられている。
【００２４】
バンパー５２の後板部５２ｂの上部には、凹溝と、凹溝の下部に形成された凸条部とが設けられ、凸条部が前記ベースフレーム部材５１Ｆ1の溝部に嵌め込まれている。さらに、後板部５２ｂの凹溝には、本体部５１の前記前フレーム部材５１Ｆ2の前端が嵌め込まれており、これによってバンパー５２が本体部５１に取り付けられている。
【００２５】
このように構成された本発明の電気掃除機１は、掃除機本体２の電動送風機を駆動することにより、図７に示すように、床面Ｆ上の塵埃やゴミを含む空気が吸込口体５の集塵開口部５１ｘへ吸引され、掃除機本体２内の集塵部に塵埃やゴミが集められる。このとき、吸込口体５のバンパー５２の下端部である前板部５２ａは床面Ｆへ向かうにつれて前方へ湾曲しているため、床面Ｆと垂直面Ｖとの間の隅部を掃除する際に前板部５２ａの下端縁が垂直面Ｖに当接する。
【００２６】
バンパー５２の前板部５２ａが垂直面Ｖに当接した状態において、バンパー５２の近傍上方の空気は矢印Ａ方向に流れて各吸気口５２ｘに流入し、通風路５２ｙを通過して排気口５２ｚから吹き出る。そして、排気口５２ｚから吹き出した気流は、垂直面Ｖに沿って真下に流れ、矢印Ｂのように直角に向きを変えて床面Ｆに沿って流れ、矢印Ｃのように集塵開口部５１ｘ内に流入する。このとき、垂直面Ｖと床面Ｆとの間の隅部にあるに塵埃やゴミは気流によって集塵開口部５１ｘ内に流入する。
【００２７】
また、図７〜図９に示すように、バンパー５２の各吸気口５２ｘから通風路５２ｙに流入した気流の一部は、通風路５２ｙ内に八の字形に配置された複数対のリブ５１ａｒに沿って左右方向に流れる。したがって、複数の吸気口５２ｘを区分する複数の連結部５２ｃによって気流の通風路５２ｙへの流入が妨げられても、排気口５２ｚから均等に気流が吹き出る。これに対し、リブ５１ａｒがない場合、あるいはリブ５１ａｒがストレートの場合、連結部５２ｃによって気流の通風路５２ｙへの流入が妨げられ、図７に示すように矢印Ａから矢印Ｂへの空気の流れが起き難くなる。しかし、上述のように八の字形に配置された複数対のリブ５１ａｒに沿って空気が流れることにより、垂直面Ｖと床面Ｆとの間の隅部を掃除する際に、隅部にある塵埃やゴミを残すことなく集塵開口部５１ｘの方へ吹き飛ばして除塵することができる。なお、図９中の矢印は気流の一部を示している。
【００２８】
なお、実施形態１（図１）では、集塵部に紙パックおよびフィルターを有する掃除機本体２を備えた電気掃除機を例示したが、掃除機本体はサイクロン方式でもよい。あるいは、ハンドルを有する掃除機本体をユーザーが持ち上げて掃除できるタイプの電気掃除機にも本発明の吸込口体を適用してもよい。すなわち、本発明の吸込口体を掃除機本体に直接接続してもよい。
【００２９】
本発明において、リブの形状および配置は実施形態１に限定されず、以下の実施形態２〜８のようにしても排気口から均等に気流を吹き出させることができる。これら実施形態１〜８のリブは、その排気口５２ｚ側の端部に床面Ｆに対して傾斜した辺を有している、つまり、床面Ｆと平行な辺を有さないことで共通している。なお、実施形態２〜８において、その他の構成は実施形態１と同様である。
【００３０】
（実施形態２）
図１０はリブの変形例１（実施形態２）および気流の方向を示す説明図である。
実施形態２の場合、実施形態１のように八の字形に配置されたリブ５１ａｒの対の近傍上方に、ドット状のリブ５１ａｒ1が配置されている。
【００３１】
（実施形態３）
図１１はリブの変形例２（実施形態３）および気流の方向を示す説明図である。
実施形態３の場合、実施形態１のように八の字形に配置されたリブ５１ａｒの対の間の近傍上方に、ドット状のリブ５１ａｒ2が配置されている。
【００３２】
（実施形態４）
図１２はリブの変形例３（実施形態４）および気流の方向を示す説明図である。
実施形態４の場合、実施形態１のように八の字形に配置されたリブ５１ａｒの対の近傍下方に、ドット状のリブ５１ａｒ3が配置されている。
【００３３】
（実施形態５）
図１３はリブの変形例４（実施形態５）および気流の方向を示す説明図である。
実施形態５の場合、実施形態１のように八の字形に配置されたリブ５１ａｒの対の間の近傍下方に、ドット状のリブ５１ａｒ4が配置されている。
【００３４】
以上説明したように、実施形態２〜５では、八の字形に配置されたリブ５１ａｒに加えてドット状のリブ５１ａｒ1〜ａｒ4が配置されており、バンパー５２の各吸気口５２ｘから通風路５２ｙに流入した気流は、ドット状のリブ５１ａｒ1〜ａｒ4によって気流の方向をさらに左右方向に変えられることになる。その結果、排気口５２ｚから吹き出る気流は、さらに均等になる。
【００３５】
（実施形態６）
図１４はリブの変形例５（実施形態６）および気流の方向を示す説明図である。
実施形態６の場合、楕円形のリブ５１ａｒ5が左右方向に所定間隔で配置されている。
【００３６】
（実施形態７）
図１５はリブの変形例６（実施形態７）および気流の方向を示す説明図である。
実施形態７の場合、頂角を下向きにした二等辺三角形のリブ５１ａｒ6が左右方向に所定間隔で配置されている。
【００３７】
（実施形態８）
図１６はリブの変形例７（実施形態８）および気流の方向を示す説明図である。
実施形態８の場合、複数の二等辺三角形のリブ５１ａｒ7が左右方向に所定間隔で配置されている。このとき、隣接する一対の二等辺三角形のリブ５１ａｒ7の各底辺を近くで対向させ、それらの間のストレートな隙間にも気流が通過できるようにしている。
【００３８】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、今回開示された実施の形態は、その趣旨を逸脱しない範囲において、適宜組み合わせることができる。例えば、実施形態２及び実施形態３で説明したリブを組み合せてもよく、八の字形に配置されたリブ５１ａｒの対の近傍上方及びリブ５１ａｒの対の間の近傍上方に、ドット状のリブ５１ａｒ2が配置されてもよい。
【符号の説明】
【００３９】
１  電気掃除機
２  掃除機本体
３  ホース
４  延長ホース
５  吸込口体
５１  本体部
５１ａ  前端
５１ａｒ、５１ａｒ1〜５１ａｒ7  リブ
５１ｘ  集塵開口部
５２  バンパー
５２ａ  前板部
５２ｘ  吸気口
５２ｚ  排気口
５２ｙ  通風路
Ｆ  床面
Ｖ  垂直面
【図１】
2014033934.tif 000003
【図２】
2014033934.tif 000004
【図３】
2014033934.tif 000005
【図４】
2014033934.tif 000006
【図５】
2014033934.tif 000007
【図６】
2014033934.tif 000008
【図７】
2014033934.tif 000009
【図８】
2014033934.tif 000010
【図９】
2014033934.tif 000011
【図１０】
2014033934.tif 000012
【図１１】
2014033934.tif 000013
【図１２】
2014033934.tif 000014
【図１３】
2014033934.tif 000015
【図１４】
2014033934.tif 000016
【図１５】
2014033934.tif 000017
【図１６】
2014033934.tif 000018